(57)【要約】【課題】  拭き掃除をする時の清掃用具について、平らな面はもちろん、凹凸のある面や湾曲した面も拭け、なおかつ力を入れて拭け、ホコリ取りだけではなくこびりついた汚れまで落とすことを目的とした、ヘッド全体がしなる柄付きワイパーを提供する。【解決手段】  毛先に丸みを持たせる加工を施した毛（２）を、多数束ね、伸縮式の柄（１）を付けてほうき状のものを作成した。そのほうき状のもののヘッド部（４）を、毛先が突き抜けないような材質のもの（３）で包み込んだ。そして、その上から袋状の雑巾（５）をスッポリかぶせひも状のもの（６）を用い取り付けた。  以上のような構成により、ほうきの特性である柔軟性と弾力性を十分に生かし、力を入れて拭くことが可能な、ヘッド全体がしなる柄付きワイパーを特徴とする。【選択図】図１
2010110599.tif 000002
【特許請求の範囲】
【請求項１】
（イ）伸縮式の柄（１）に毛先に丸みを持たせる加工を施した毛（２）を多数束ね固定した。
（ロ）ヘッド部（４）を毛先が突き抜けない材質のもの（３）で包み込みこんだ。
（ハ）その上から袋状の雑巾（５）をかぶせ取り付けた。
以上のごとく構成されたヘッド全体がしなる柄付きワイパー。
【請求項２】
ヘッド部（４）に取り付ける袋状の雑巾（５）は、様々な材質のものから成り、使用目的に応じ取り替えられることを特徴とする、請求項１のヘッド全体がしなる柄付きワイパー。
【発明の詳細な説明】
【技術分野】
【０００１】  本発明は、毛先に丸みを持たせる加工を施した毛を多数束ね、柄を付けたほうき状のものに、袋状の雑巾をかぶせることから成る、ヘッド全体がしなる柄付きワイパーに関するものである。
【背景技術】
【０００２】（イ）先の発明で、ほうきそのものに不織布や雑巾、化学合成繊維からできた雑巾などをかぶせたものが２件あった。
（ロ）現在、市場では様々なホコリを取ったり汚れを落としたりする為の清掃用具が売られている。例えば、使い捨ての不織布や洗って繰り返し使える雑巾をヘッド部に装着し、床のホコリ取りや汚れを落とすフローリングワイパーまたは、トイレの床や廊下の水拭き、床のワックス塗りなどに使用する、綿や化学合成繊維からなるヒモを多数束ねて柄に付けた水拭き用柄付きモップなどである。
【実用新案文献１】
【０００３】  登録実用新案第  ３０８１９６６号広報
【０００４】
【特許文献１】  特許公開平  ８−５２１０１号広報
【発明の開示】
【発明が解決しようとする課題】
【０００５】（イ）以上に述べた先の２件の発明の問題点は、ほうきそのものに不織布や雑巾をかぶせいていることから、力を入れて拭くとほうきの先端が不織布や雑巾を突き抜け拭く面をキズつけてしまうおそれがあるということである。
（ロ）フローリングワイパーは、ヘッド部全体が硬く弾力が無い為、平らな面を拭くことは可能であるが、凹凸のある面や、湾曲している面を拭くことは困難である。
また、水拭き用柄付きモップにおいては、綿や化学合成繊維から成るヒモがバサバサしていてまとまりがなく、ハリやコシもないので力を入れて拭くことができず、床に食品の汁やジュースなどがこぼれて乾き、こびりついてしまった汚れまで落とすことは難しい。【０００６】  ホコリをとるだけなら先の２件の発明でも十分であり、また、平らな面のみのホコリ取りや汚れ落としなら従来のフローリングワイパーでも良かった。水拭き用柄付きモップにおいては、ワックス塗りには最適だが、こびりついた汚れまで落とすことは困難である。【０００７】  したがって本発明の課題は、ほうきの特性である柔軟性、弾力性を十分に生かし、平らな面はもちろん、凹凸のある面や湾曲した面も拭け、なおかつ力を入れて拭けるように改善し、ホコリ取りだけではなくこびりついた汚れまで落とすことを目的とした、ヘッド全体がしなる柄付きワイパーを提供することである。
【課題を解決するための手段】
【０００８】  力を入れて拭いた時、毛先の部分が不織布や雑巾を突き抜け拭く面をキズ付けることがないように、毛先に丸みを持たせる加工を施した毛（２）を多数束ね、伸縮式の柄（１）を付けてほうき状のものを作成した。そのほうき状のもののヘッド部（４）を、毛先が突き抜けにくい材質のもの（３）で包み込んだ。以上のように、毛先が突き抜けない工夫を二重にした。そして、その上から袋状の雑巾（５）をスッポリかぶせひも状のもの（６）を用い取り付けた。
この袋状の雑巾（５）については、様々な材質のものから成り、使用目的に応じ簡単に取り替えられるようにした。また、普段手が届かない所も拭けるように伸縮式の柄（１）を用いた。
本発明は、以上のような構成によりほうきの特性である柔軟性と弾力性を十分に生かし、力を入れて拭くことが可能な、ヘッド全体がしなる柄付きワイパーである。
【発明の効果】
【０００９】  毛先に丸みを持たせる加工を施すとともに、それが突き抜けないような材質のもので包み込こむという二重の工夫をすることで、力を入れて拭いても毛先が雑巾を突き抜けて拭く面をキズ付けることがなくなった。また、力を入れて拭けるようになったことから、単なるホコリ取りだけではなく、こびりついた汚れまで落とせるようになった。【００１０】  さらに、ほうきの特性である柔軟性と弾力性を生かし、平面はもちろん、凹凸のある面、湾曲した面までも拭くことが可能になった。
また、ヘッド部全体が人間の手のひらのようにしなやかに自由自在にしなるので、柄を寝かせたり、立てたり、回転させたりして、角度を調節し、縦、横、ななめと、あらゆる方向に拭けトイレなどの狭いところや入り込んだ所なども隅々まで拭くことができるようになった。【００１１】  柄は、伸縮式を用いることにより拭く場所に合わせて立ったり座ったりせず、同じ姿勢のまま拭くことができるので疲労度が軽減され、車椅子の方やご老人などでも手軽に扱える。また、普段手が届きにくい天井や天窓、壁と家具隙間なども拭くことができる。【００１２】  雑巾は、様々な材質のものから成り、使用目的に応じ簡単に取り替えられるので、使用範囲が広がった。例えば吸水性のあるものを取り付けて、洗車後の水滴取りや浴室の壁や天井の水滴取り、またホコリをとる性質のある化学雑巾を取り付ければ家具や家電のホコリ取り、一般的なタオル地の雑巾を水で濡らし絞って取り付け、床や階段のホコリや汚れ落としなど、目的に応じ雑巾を付け替えれば、これ一本で家の中や外の拭き掃除が可能になる。もちろん、使い捨ての雑巾を取り付けることもできる。
【発明を実施するための最良の形態】
【００１３】  図１は、伸縮式の柄（１）に、毛先に丸みを持たせる加工を施した毛（２）を多数束ね固定し、それを毛先が突き抜けない材質のもの（３）で包み込み、ヘッド部（４）としたものを表した。  図２は、図１のヘッド部（４）に、様々な材質の袋状の雑巾（５）をひも状のもの（６）などで取り付けて完成したものを表した。
本発明は以上のような構成である。
これを使用するときは、柄を持ち、拭きたい面にヘッド部をあてて縦、横、ななめと動かしホコリを落としたり汚れを落としたりする。丸みを帯びた面を拭く場合は、ヘッド部をあてて力を入れ形状に沿うように拭く。また、ヘッド部の先端を使い、溝や狭いところを拭く。ヘッド部全体がしなり、力を入れて拭いてもキズつけることはないので、柄を寝かせたり立てたり微妙に回転させたりして角度を調節し、拭く面に沿わせ縦、横、ななめと自由に動かし、自分の手のひらを使って拭くような感覚で使用する。
【図面の簡単な説明】
【００１４】
【図１】  本発明の雑巾を取り付ける前の正面図である。
【図２】  本発明の雑巾を取り付けた後の正面図である。
【符号の説明】
【００１５】  １  伸縮式の柄
２  毛先に丸みを持たせる加工を施した毛
３  毛先が突き抜けない材質のもの
４  ヘッド部
５  袋状の雑巾
６  ひも状のもの
【図１】
2010110599.tif 000003
【図２】
2010110599.tif 000004